【事件の表示】
　特許第３０５８１８２号「印刷装置」の請求項１に係る特許に対する特許異議の申立てについて、次のとおり決定する。
【結　論】
　訂正を認める。
　特許第３０５８１８２号の請求項１に係る特許を維持する。
【理　由】
Ｉ．手続きの経緯
　本件特許第３０５８１８２号の請求項1に係る発明の出願は、平成２年４月２５日に出願したものであって、平成１２年４月２１日にその特許の設定登録がなされ、その後、渡部廣美より特許異議の申立てがなされ、取消理由通知がなされ、その指定期間内である平成１３年７月２３日に訂正請求がなされ、さらに再度取消理由通知がなされ、その指定期間内である平成１３年１１月８日に、特許異議意見書が提出されたものである。
　
ＩＩ．訂正の適否についての判断
　1.訂正の内容
特許権者が求めている訂正の内容は、次の(1)〜(２)のとおりである。
（１）査定時の明細書の特許請求の範囲の「【請求項1】」を、
「【請求項1】複数のホストコンピュータに接続され、そのうちの１つのホ　ストコンピュータから印刷すべき用紙のサイズを指定する用紙サイズ信号と印刷データを受信し、セットされた用紙に印刷を行う印刷装置において、セットされる用紙のサイズを検知する検知手段と、ホストコンピュータから指定された用紙サイズを表示する表示手段と、所定時間の経過を計測するタイマと、前記検知手段、表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うことを特徴とする印刷装置。」と訂正する。
（２）査定時の明細書の第６頁第７行目〜第８頁第４行目の「（課題を解決するための手段）…（実施例）」を、
「（課題を解決するための手段）
　上記課題を解決するために講じた手段は、装置内にセットされた用紙のサイズを検知する検知手段と、ホストコンピュータから指定された用紙サイズを表示する表示手段と、所定時間の経過を計測するタイマと、前記検知手段、表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うようにしたことである。
（作　用）
　上記構成に基く本発明の作用を説明する。
ホストコンピュータから印刷データとともに用紙サイズ信号が送られてくると、制御手段は送られてきた用紙サイズと、検知手段により検知されたところの装置内にセットしてある用紙のサイズとを比較する。一致していればそのまま印刷データをセットしてある用紙に印刷する。
　一致していない場合、表示手段にホストコンピュータから指定された用紙サイズを表示してオペレータに用紙の交換を促すとともにタイマをセットする。タイマは所定時間の経過を計測する。タイマによりセットされた時間内に指定サイズの用紙に交換されると、検知手段がこれを検知し制御手段がサイズの一致を認識して、交換された用紙に印刷を行う。タイマによりセットされた時間内に用紙サイズが一致しない場合は、タイマでセットされた時間が経過した時点でセットされている用紙に印刷を行う。このようにすることによりシステムとしての印刷機能の停止を防ぐことができる。
（実施例）」と訂正する。
　
２.訂正の目的の適否、新規事項の有無及び特許請求の範囲の拡張・変更の存否
（１）前記1.の（１）の訂正は、特許請求の範囲の「『所定時間内』に用紙サイズが一致した場合は一致した時点で交換された用紙に印刷を行い、『所定時間内』に一致しない場合は『所定時間』経過した時点で予めセットされてあり、ホストコンピュータから指定されたサイズとは異なる用紙に印刷を行う」を「『前記タイマでセットされた時間内』に用紙サイズが一致した場合は一致した時点で交換された用紙に印刷を行い、『前記タイマでセットされた時間内』に一致しない場合は『前記タイマでセットされた時間が経過した時点』で予めセットされてあり、ホストコンピュータから指定されたサイズとは異なる用紙に印刷を行う」と、前者は『所定時間内』を『前記タイマでセットされた時間内』と、時間内を限定するものであり、また、後者も『所定時間経過した時点』を『前記タイマでセットされた時間が経過した時点』と、経過した時点を限定するものであるから、これらの訂正は、特許請求の範囲の減縮に相当する。そして、これら訂正事項は、願書に添付した明細書又は図面に記載されている事項であり、また、実質上特許請求の範囲を変更し、又は拡張するものではない。
（２）前記1.の（２）の訂正は、前記明細書の特許請求の範囲の請求項１の訂正に伴って特許請求の範囲の記載と整合を図るため訂正されたものであり、明りようでない記載の釈明に相当する。そして、この訂正事項は願書に添付した明細書又は図面に記載されている事項であり、また、実質上特許請求の範囲を変更し、又は拡張するものではない。
３.むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
ＩＩＩ．特許異議申立てについて
　1.本件発明
　本件特許第３０５８１８２号の請求項１に係る発明は、訂正明細書の特許請求の範囲の請求項1に記載された次のとおりのものである。
「【請求項１】複数のホストコンピュータに接続され、そのうちの１つのホストコンピュータから印刷すべき用紙のサイズを指定する用紙サイズ信号と印刷データを受信し、セットされた用紙に印刷を行う印刷装置において、セットされる用紙のサイズを検知する検知手段と、ホストコンピュータから指定された用紙サイズを表示する表示手段と、所定時間の経過を計測するタイマと、前記検知手段、表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うことを特徴とする印刷装置。（以下「本件発明」という。）」
　２．特許異議申立の理由の概要等
　（１）特許異議申立人渡部廣美は、証拠として、
　甲第１号証（特開平１−１４５９４６号公報）、及び甲第２号証（特開昭６４−２８１２７公報）を提出し、本件請求項１に係る発明は、甲第１号証及び甲第２号証に基づいて、その発明の属する技術の分野における通常の知識を有する者が容易になし得た発明であるから、特許法第２９条第２項の規定により特許を受けることができないものであり、従って、上記特許に係る発明は同法第１１３条第１項第２号の規定により取り消されるべきものである、と主張している。
　（２）当審で、平成１３年５月１１日付けで、甲第１号証、甲第２号証に、特開昭６３−４０４５６公報を加えて、取消理由を通知し、さらに平成１３年９月１１日付けで、甲第１号証、特開昭６３−２２１０７１号公報を加えて、特開昭６３−４０４５６公報とで、再度取消理由を通知した。
　　
　（３）刊行物記載事項
　（ア）甲第１号証（特開平１−１４５９４６号公報、以下、「刊行物１」という。）には、
「異なるサイズの用紙を供給する複数の給紙部を有するプリンタにおいて、ホストマシンから出力される用紙サイズの指定コマンドに応じて、指定されたサイズの用紙を供給する給紙部を選択して給紙させることを特徴とする給紙制御方法」（特許請求の範囲）、
「・・・マイクロコンピュータ（以下「ＣＰＵ」という）は、各給紙部に設けられているフォトインタラプタ１７の出力を判定することにより、どの給紙部に如何なるサイズの用紙を収納した給紙カセットが装着されているか、あるいは給紙カセットが装着されていない（・・・）かを判別する。」（３頁右上欄９行〜１６行）、
「・・・このＣＰＵ３１によるこの発明に係る処理について説明する。第１図は、この発明によるプリンタの給紙制御方法の第１実施例を示すフロー図である。ホストマシン４０から用紙サイズの指定コマンドが入力されると、第２図に示した第１，第２の給紙部Ｉ，ＩＩの給紙カセット２，３に収納されている用紙のサイズをチェックし、サイズが一致する用紙があるか否かを判定する。指定サイズの用紙が収納されている場合は、エラー表示がなされていればそれを消去してから、指定サイズの用紙を供給できる給紙部のコードをメモリする（指定サイズの用紙選択）。次に、メモリしたコードの指示する給紙部を起動して指定されたサイズの用紙を給紙させ、ホストマシン４０から入力する文字データ、画像データ等を１頁分ずつ印刷する。すべてのデータを印刷し終われば処理を終了する。いずれの給紙部の給紙カセットにも指定サイズの用紙が収納されていない場合は、操作パネル２５上の図示しない表示器にエラーを表示してＡに戻る。すなわち、何らかの割込みが入らない限り、エラーを表示したままダイナミックストップの状態になっている。オペレータがエラー表示に気付いて、指定サイズの用紙を収納している給紙カセットをいずれかの給紙部に装着すれば、指定サイズの用紙があると判定されて、エラー表示を消去し、前述した指定サイズの用紙選択（給紙部のコードをメモリする）を行って印刷を続行する。」（４頁右上欄２行〜左下欄１１行）、
「もし、指定サイズの用紙がなかった場合に、オペレータの判断により作業続行スイッチを押して作業の続行を指示（ホストマシンからのコマンドで指示してもよい）をすれば、プリンタにセットされている用紙の中から、指定サイズに近い用紙を収納している給紙カセットを装着した給紙部のコードをメモリ（用紙選択）した後、Ｂへ進んでエラー表示を消去して印刷を続行する。このようにすれば、指定されたサイズの用紙がないために作業を中止することがなく、簡単に代替用紙を使って印刷することが出来る。」（５頁左上欄４行〜１４行）、
　「なお、本体１内には後述するコントローラ２０を構成したプリント基板、及びエンジンドライバ３０を構成したプリント基板も搭載されている。第３図は、給紙カセットに挿着したサイズ検知用遮光板と、それに対応する用紙サイズ検知用の多連のフォトインタラプタとの関係を示す上方から見た平面図である。このプリンタには、本体１側の各給紙カセット装着位置に、それぞれ例えば５連のフォトインタラプタ１７が取付けられていている。一方、その５連のフォトインタラプタ１７に対応する給紙カセット２の先端部２ａには、カセット内に収納される用紙サイズに対応させてその形状とその位置を異ならせた遮光板１８ａを有する遮光板１８が差込み溝２ｂに挿着されている。」（２頁左下欄１２行〜右下欄６行）、
「コントローラ２０は、ホストマシン４０からプリント命令や文宇データ、画像データを受信して、・・・内部インタフェース２６を介してエンジンドライバ３０へ出力する。」（３頁右下欄１２〜１８行）
「スタートすると、先ずホストマシン４０からの指定サイズを表示する。続いて、指定サイズの用紙があるか否かを判定し、あれば前述の各実施例と同様に指定サイズの用紙を供給できる給紙部を選択（以下これを「用紙を選択」と称す）して印刷を続行する。そして、すべてのデータを印刷し終った後、サイズ表示等の表示を消去して処理を終了する。指定サイズの用紙が収納されてない場合はエラーを表示して、・・・次に、選択された用紙のサイズを表示してから、作業続行スイッチがオンになっているか否かを判定する。作業続行スイッチがオフであればＡへ戻って、ダイナミックストップ状態になる。そこで、給紙部に装着されている給紙カセットを交換して、指定サイズの用紙が収納された給紙カセットを装着すると、指定サイズの用紙が有るかの判定でＹＥＳになり、選択サイズの表示を消去する。その後の処理は前述の各実施例と同様であり、作業続行スイッチの判定でＹＥＳの場合もＢへ進み、同じ処理を実行する。」（５頁左下欄２０行〜６頁左上欄５行）と記載されている。
　上記の記載を含む刊行物１には、次の発明が記載されている。
「ホストマシン４０に接続され、ホストマシン４０から印刷すべき用紙サイズの指定コマンドと文字データ、画像データを受信し、複数の給紙部に収納された用紙に印刷を行うプリンタにおいて、
複数の給紙部に収納された用紙のサイズを検知する各給紙部に設けられたフォトインタラプタ１７及び遮光部１８と、ホストマシン４０から指定された用紙サイズを表示する表示器と、前記複数の給紙部のフォトインタラプタ１７からの出力、表示器を制御するとともに、前記複数の給紙部のフォトインタラプタ１７により検知した用紙サイズをチェックし、ホストマシン４０から指定された用紙サイズと一致する用紙があるか否かを判定するＣＰＵ３１を設け、
前記ＣＰＵ３１は、前記フォトインタラプタ１７及び遮光部１８で検知した用紙サイズとホストマシン４０から指定された用紙サイズとが一致しない場合は、前記表示器にホストマシン４０から指定された用紙サイズを表示させ、用紙サイズが一致した場合は一致した時点で交換された用紙に印刷を行い、一致しない場合は予めセットされてあり、ホストマシン４０から指定された用紙サイズとは異なる用紙にホストマシン４０からのコマンドの指示により印刷を行うことを特徴とするプリンタ。」（以下、「刊行物１発明」という。）
　
　（イ）当審で、平成１３年９月１１日付けで取消理由として、通知した特開昭６３−２２１０７１号公報（以下、「刊行物２」という。）には、
「印字中にプリンタメカ１９に搭載される用紙切れセンサー（図示せず）を介して用紙切れが検出されると、システムフラグの一つをセットする。具体的には第２図に示すフラグ１４２がＯＮする。その後、ホストからのデータが転送されているか否かをチェックするため、ライン１２０を介して到来するストローで信号をチェックし、アクティブであればシステムＲＡＭ１４に割付けられたＢＵＳＹカウンタ１４３をチェックし、・・・」（２頁右下欄１行〜９行）、
　そして、第３図のフローチャートの流れをみると、＜用紙切れ検出＞で“Ｙｅｓ”で「用紙切れフラグをセット」し、＜入力データ有り＞であると、次の＜タイムアウト？＞で“Ｎｏ”であると、「カウンター更新」され、＜用紙セット完了＞したら、「用紙切れフラグリセット」しメインルーチンへ戻ることが、読みとれるから、用紙切れ検出されると、タイムアウトされる前に、すなわち、時間内に、用紙がセットされると、メインルーチンに戻ることが記載されているものと認められる。
　
　（ウ）当審で、平成１３年５月１１日、及び平成１３年９月１１日付けで、取消理由として、通知した特開昭６３−４０４５６公報（以下、「刊行物３」という。）には、
「・・・送信側との通信終了後もしくは一定時間経過後において前記比較結果が一致せずかつ前記セット受信紙のサイズが小さいときはその時点でセットされている最大サイズの前記受信紙を選択し・・・」（公報１頁右下欄１行〜５行）、
「記録制御部２は通信終了時、もしくは、一定時間経過後に送信画サイズとセット受信紙サイズを比較するので、・・・通信開始時に・・・送信画サイズと同一、もしくは、大きいサイズものが無くても、警報・表示部５からの警報により操作者が通信終了時、もしくは、一定時間経過時までに、・・・受信紙をセットする事により、・・・記録制御部２へ新たにセットし直された受信紙サイズを通知し、・・・フレームメモリ３に記憶されているままの画信号を記録する・・・。又、通信終了時点、もしくは、更に一定時間経過後に送信画サイズとセット受信紙サイズとを比較し、もしセット受信紙サイズの中に送信画サイズと一致するサイズ、もしくは、より大きいサイズの受信紙がセットされていない場合は、・・・セット受信紙サイズの中から一番大きいサイズの受信紙を選択し・・・記録部６に縮小記録を行わせる。」（３頁左上欄９行〜右上欄１３行）と記載されている。
　
　（エ）甲第２号証（特開昭６４ー２８１２７公報、以下、「刊行物４」という。）には、
　「手差し用紙（９１）が差し込まれると、・・・モータ（４０）が停止されて給紙可能な状態となる。この状態でプリントスイッチを押すと、前記カセット（２１）内の複写用紙（９０）の給紙の場合と同様に、手差し用紙（９１）の給紙が行なわれ、指定された枚数だけコピーされる。」（６頁右下欄７行〜７頁左上欄５行）
　「コードＡが“０”のとき、ステップ（Ｓ５０２）（Ｓ５０３）で給紙コードが“０”（手差し給紙モード）で、かつコピー中ならばステップ（Ｓ５０４）でコードＡを“１”にセットする。また、手差し給紙モードでないとき、又は、コピー中でなければ、ステップ（Ｓ５０５）で前記遅延タイマＴＡの終了を判定し、ステップ（Ｓ５０６）で手差し用紙（９１）がエンプテイか否かを判定する。そして、タイマＴＡ終了後、手差し用紙（９１）がエンプティと判定され、ステップ（Ｓ５０７）で手差し口カバー（７１）が開放されているか否かを判定し、手差し口カバー（７１）が開放状態ならばステップ（Ｓ５０８）で給紙コードを“２”（下部カセット給紙モード）に設定し、手差し口カバー（７１）が閉じていれば給紙コードを“１”（上部カセット給紙モード）に設定する。即ち、手差しカバー（７１）が開放されてても用紙（９１）がエンプティならば、所定の時間遅れ（タイマＴＡ）を以て自動的に下部カセット給紙モードに切り換わる。」（１０頁左下欄８行〜右下欄７行）と記載されている。
　
　（４）対比・判断
　本件発明と刊行物１発明のものとを対比する。
　刊行物１発明の「ホストマシン４０」、「用紙サイズの指定コマンド」、「文字データ、画像データ」、「複数の給紙部に収納された用紙」、「各給紙部に設けられたフォトインタラプタ１７及び遮光部１８」、「表示器」は、それぞれ本件発明の「ホストコンピュータ」、「用紙サイズ信号」、「印刷データ」、「セットされた用紙」、「検知手段」、「表示手段」に相当する。また、刊行物１発明の「前記複数の給紙部のフォトインタラプタ１７により検知した用紙サイズをチェックし、ホストマシン４０から指定された用紙サイズと一致する用紙があるか否かを判定するＣＰＵ３１」は、本件発明の「前記検知手段により検知した用紙サイズとホストコンピュータから指定された用紙サイズとを比較する制御手段」に対応する。
　したがって、両者は、「ホストコンピュータに接続され、ホストコンピュータから印刷すべき用紙のサイズを指定する用紙サイズ信号と印刷データを受信し、セットされた用紙に印刷を行う印刷装置において、
セットされる用紙のサイズを検知する検知手段と、ホストコンピュータから指定された用紙サイズを表示する表示手段と、前記検知手段、表示手段を制御するとともに、前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させ、用紙サイズが一致した場合は一致した時点で交換された用紙に印刷を行い、一致しない場合は予めセットされてあり、ホストコンピュータから指定されたサイズとは異なる用紙に印刷を行うことを特徴とする印刷装置。」で一致し、次の点で相違する。
　（相違点）
　（ア）用紙サイズ信号が、本件発明では、複数のコンピュータに接続され、そのうちの１つのホストコンピュータから印刷すべきのサイズを指定するのに対して、刊行物記載のものでは、複数のコンピュータに接続されているか否か明らかでない点。
　（イ）前記検知手段、及び表示手段を制御する制御装置は、本件発明では、タイマで制御するものであって、ホストコンピュータから指定された用紙サイズを表示させるとともに前記タイマをセットし前記タイマでセットされた時間内に用紙サイズが一致した場合は一致した時点で交換された用紙に印刷を行うのに対して、刊行物１記載のものでは、タイマを有していないので、係る構成は明記されていない点。
　（ウ）予めセットされてあり、ホストコンピュータから指定されたサイズとは異なる用紙に印刷を行うことについて、本件発明では、前記タイマでセットされた時間内に用紙サイズが一致しない場合は前記タイマでセットされた時間が経過した時点で行うとしているのに対して、刊行物１発明では、単にホストマシン４０からのコマンドの指示により行うとしている点。　
　そこで、相違点を検討するに、
　相違点（ア）について、
　用紙サイズ信号を複数のコンピュータに接続させることは、コンピュータとプリンタの接続に格別な創意工夫があったものとは認められないから、当業者が容易にできる設計変更にすぎないものと認められる。
　次に、相違点（イ）について、
　刊行物２において、第３図のフローチャートの流れからみると、＜用紙切れ検出＞で“Ｙｅｓ”で「用紙切れフラグをセット」し、＜入力データ有り＞であると、次の＜タイムアウト？＞で“Ｎｏ”であると、「カウンター更新」され、＜用紙セット完了＞したら、「用紙切れフラグリセット」しメインルーチンへ戻ることが記載されている、と認定した。この点に関して、さらに検討するに、刊行物２の第３図に示される「タイマ」は、タイマでセットされた時間内（＜タイムアウト？＞のＮｏ）であっても、その時間の経過後（＜タイムアウト？＞のＹｅｓ）であっても、その出力は＜入力データ有り＞と＜用紙セット完了＞の間に、入力される。このことは、タイマ内であっても、タイマ外であっても、用紙セットが用紙セット完了されない限り、タイマカウントを繰り返すこととなる。そうすると、刊行物２の「タイマ」が、タイマでセットされた時間内とその時間の経過後で異なる２つの制御を行うために用いられる、本件発明のタイマとは、タイマの技術的意義が異なっていることを示しているので、刊行物２には、前記相違点（イ）は、開示されていない。
　そして、刊行物３における、「通信終了時点、もしくは、更に一定時間経過後」とは、ファクシミリ通信が終了したのちの一定時間経過後にサイズ比較を行うものであって、ファクシミリ通信が終了したのち一定時間内にはサイズ比較を行っていないため、一定時間内にオペレータがサイズエラーに気付きエラー表示されているサイズの用紙に交換したとしても、交換された時点で印刷を行うことはなく、タイマでセットされた時間の経過を待って印刷を行うものである。そうすると、本件発明の相違点（イ）は、刊行物３に開示されていない。
　さらに、刊行物４は、「手差しカバー（７１）が開放されていれば用紙（９１）がエンプティならば、所定の時間遅れ（遅延タイマＴＡ）を以って自動的に下部カセット給紙モードに切り換わる。」ことが記載されているのみで、前記相違点（イ）の点については開示されていない。
　相違点（ウ）について、
　刊行物３に「通信終了時点、もしくは、更に一定時間経過後に送信画サイズとセット受信紙サイズとを比較し、もし・・・より大きいサイズの受信紙がセットされていない場合は、・・・セット受信紙サイズの中から一番大きいサイズの受信紙を選択し・・・記録部６に縮小記録を行わせる。」（３頁右上欄２行〜１３行）と記載されていることから、本件発明の「タイマでセットされた時間内に用紙サイズが一致しない場合は前記タイマでセットされた時間が経過した時点で予めセツトされた用紙に印刷を行うこと」は刊行物３に記載されている。
　
　そして、本件発明は、前記相違点（イ）の構成により、「複数のホストコンピュータに接続された印刷装置において、ホストコンピュータから指定された用紙サイズと装置内にセットされている用紙のサイズが一致しない場合、たとえば指定されたサイズの用紙に交換が行われなくても、所定時間後、装置内にセットされている用紙に強制的に印刷を開始するので、システムとしての印刷機能は確保される」という効果を奏するものである。
　したがって、本件発明は、刊行物１〜刊行物４に記載された発明に基づいて当業者が容易に発明をすることができたものとは認められない。
　　
ＩＶ．むすび
  以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１３年１２月１４日（２００１．１２．１４）
【訂正の要旨】
　訂正の内容
（１）査定時の明細書の特許請求の範囲の「【請求項１】」を、
「【請求項１】複数のホストコンピュータに接続され、そのうちの１つのホストコンピュータから印刷すべき用紙のサイズを指定する用紙サイズ信号と印刷データを受信し、セットされた用紙に印刷を行う印刷装置において、セットされる用紙のサイズを検知する検知手段と、ホストコンピュータから指定された用紙サイズを表示する表示手段と、所定時間の経過を計測するタイマと、前記検知手段、表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うことを特徴とする印刷装置。」と訂正する。
（２）査定時の明細書の第６頁第７行目〜第８頁第４行目の「（課題を解決するための手段）…（実施例）」を、
「（課題を解決するための手段）
上記課題を解決するために講じた手段は、装置内にセットされた用紙のサイズを検知する検知手段と、ホストコンピュータから指定された用紙サイズを表示する表示手段と、所定時間の経過を計測するタイマと、前記検知手段、表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うようにしたことである。
（作　用）
上記構成に基く本発明の作用を説明する。
ホストコンピュータから印刷データとともに用紙サイズ信号が送られてくると、制御手段は送られてきた用紙サイズと、検知手段により検知されたところの装置内にセットしてある用紙のサイズとを比較する。一致していればそのまま印刷データをセットしてある用紙に印刷する。
一致していない場合、表示手段にホストコンピュータから指定された用紙サイズを表示してオペレータに用紙の交換を促すとともにタイマをセットする。タイマは所定時間の経過を計測する。タイマによりセットされた時間内に指定サイズの用紙に交換されると、検知手段がこれを検知し制御手段がサイズの一致を認識して、交換された用紙に印刷を行う。タイマによりセットされた時間内に用紙サイズが一致しない場合は、タイマでセットされた時間が経過した時点でセットされている用紙に印刷を行う。このようにすることによりシステムとしての印刷機能の停止を防ぐことができる。（実施例）」と訂正する。
（５４）【発明の名称】
印刷装置
（５７）【特許請求の範囲】
　【請求項１】　複数のホストコンピュータに接続され、そのうちの１つのホストコンピュータから印刷すべき用紙のサイズを指定する用紙サイズ信号と印刷データを受信し、セットされた用紙に印刷を行う印刷装置において、
　セットされる用紙のサイズを検知する検知手段と、
　ホストコンピュータから指定された用紙サイズを表示する表示手段と、
　所定時間の経過を計測するタイマと、
　前記検知手段、表示手段およびタイマを制御するとともに前記検知手段により検知した用紙サイズとホストコンピュータから指定された用紙サイズとを比較する制御手段とを設け、
　前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うことを特徴とする印刷装置。
【発明の詳細な説明】
（産業上の利用分野）
　本発明は、複数のホストコンピュータに接続され、ホストコンピュータから印刷データを送られるとともに印刷すべき用紙のサイズを指定されて印刷を行う印刷装置に関する。
（従来の技術）
　電子写真プリンタ等の印刷装置において出力媒体として使用するカット紙は複数種類あり、それぞれサイズが異なっている。たとえば、日本ではＢ４，Ｂ５，Ａ４，Ａ５，Ａ６サイズのものが一般的に使用されている。
　一方、印刷装置に接続されたホストコンピュータにおいてデータを作成する場合、最終出力媒体となる用紙のサイズを予め想定し、このサイズに合致するようにデータを作成している。そして作成したデータを印刷する場合は、ホストコンピュータから印刷装置に対して作成データを送出するとともに、作成データに合致する用紙サイズを指定するコマンドを送出している。
　印刷装置は、通常前述した各サイズのカット紙を使用可能であるが、装置内に常時セットできるのは機構上の制約から１乃至２種類である。したがってホストコンピュータから送られてきたコマンドにより自動的に印刷できる用紙サイズの種類は１種類か２種類である。従来、印刷装置にセットされていない用紙サイズを指定するコマンドがホストコンピュータから送られてきた場合は、既にセットされている用紙を指定されたサイズの用紙に交換して印刷を行っていた。この場合の動作を第６図に示すフローチャートにしたがって説明する。第６図は従来の印刷装置の動作を示すフローチャートである。第６図において、印刷装置はホストコンピュータから送られてきた指定用紙サイズ命令を受信すると（ステップ１）、指定された用紙サイズと装置内に既にセットされている用紙のサイズが一致しているか否かを判断する（ステップ２）。この結果、用紙のサイズが一致している場合には、ステップ５へ進み印刷を開始する。用紙のサイズが一致していない場合には、図示せぬオペレータパネル上に、用紙サイズエラーおよび指定サイズメッセージを表示し（ステップ３）、オペレータに対して用紙の交換を促す。オペレータが交換を行って指定サイズの用紙がセットされると、これを検知して（ステップ４）、印刷を開始する（ステップ５）。
（発明が解決しようとする課題）
　しかしながら、上記従来の装置においては、ホストコンピュータから指定された用紙サイズと装置内に既にセットされている用紙サイズとが一致しない場合、オペレータが指定されたサイズの用紙に交換しない限り印刷が行えないようになっていた。それ故、第７図に示すように１台の印刷装置１に複数のホストコンピュータ２が接続されているシステムにおいては、１台のホストコンピュータ（たとえば２ａ）が指定した用紙サイズと印刷装置１にセットされている用紙サイズが一致せず、しかも用紙の交換が行われていない場合、他のホストコンピュータ２ｂ，２ｃからの印刷出力が不能になる。即ち、システムとしての印刷機能が停止する。
　いざ用紙を交換しようとする場合においても、ホストコンピュータ２と印刷装置１とはＬＡＮ（Ｌｏｃａｌ　Ａｒｅａ　Ｎｅｔｗｏｒｋ）等で接続され、通常ホストコンピュータ２と印刷装置１とは離れて配置されており、それ故実際に用紙を指定されたサイズのものに交換し、ホストコンピュータ２ａからの印刷データの印刷を終了して、システムとしての印刷機能を回復するまでには少なからぬ時間を要する。なお第７図は印刷出カシステムを示す説明図である。
　本発明は、上記問題点に鑑みてなされたもので、その目的は、ホストコンピュータから指定される用紙サイズと装置内に既にセットされている用紙のサイズとが一致しない場合でも、印刷機能を停止させることなく、しかも印刷機能の回復にそれほど時間を要しない印刷装置を提供することである。
（課題を解決するための手段）
　上記課題を解決するために講じた手段は、装置内にセットされた用紙のサイズを検知する検知手段と、ホストコンピュータから指定された用紙サイズを表示する表示手段と、所定時間の経過を計測するタイマと、前記検知手段，表示手段およびタイマを制御するとともに前記検知手段により検知した用紙サイズとホストコンピュータから指定された用紙サイズとを比較する制御手段とを設け、前記制御手段は、検知手段で検知した用紙サイズとホストコンピュータから指定された用紙サイズとが一致しない場合は、前記表示手段にホストコンピュータから指定された用紙サイズを表示させるとともに前記タイマをセットし、前記タイマでセットされた時間内に用紙サイズが一致した場合は一致した時点で交換された用紙に印刷を行い、前記タイマでセットされた時間内に一致しない場合は前記タイマでセットされた時間が経過した時点で予めセットされてあり、ホストコンピュータから指定されたサイズとは異なる用紙に印刷を行うようにしたことである。
（作　用）
　上記構成に基く本発明の作用を説明する。
　ホストコンピュータから印刷データとともに用紙サイズ信号が送られてくると、制御手段は送られてきた用紙サイズと、検知手段により検知されたところの装置内にセットしてある用紙のサイズとを比較する。一致していればそのまま印刷データをセットしてある用紙に印刷する。
　一致していない場合、表示手段にホストコンピュータから指定された用紙サイズを表示してオペレータに用紙の交換を促すとともにタイマをセットする。タイマは所定時間の経過を計測する。タイマによりセットされた時間内に指定サイズの用紙に交換されると、検知手段がこれを検知し制御手段がサイズの一致を認識して、交換された用紙に印刷を行う。タイマによりセットされた時間内に用紙サイズが一致しない場合は、タイマでセットされた時間が経過した時点でセットされている用紙に印刷を行う。
　このようにすることによりシステムとしての印刷機能の停止を防ぐことができる。
（実施例）
　以下図面にしたがって本発明に係る実施例を説明する。なお各図面に共通する要素には同一の符号を付す。
　第１図は本発明に係る印刷装置を示すブロック図である。第１図において、印刷装置１１には、装置全体の制御を行う中央処理装置（以下ＣＰＵという）１２が設けられており、ＣＰＵ１２にはバスライン１３が接続されている。バスライン１３にはタイマ１４，リードオンリメモリ（ＲＯＭ）１５，ランダムアクセスメモリ（ＲＡＭ）１６，外部インタフェース１７およびＩ／Ｏ制御部１８がそれぞれ接続されており、ＣＰＵ１２はこれらの各要素を制御する。タイマ１４は、所定時間の経過を計測するものであり、本実施例では後述するようにホストコンピュータから指定された用紙サイズと装置内にセットされている用紙のサイズが一致しない場合、一致しないと判断した時点から所定時間の経過を計測する。ＲＯＭ１５は装置全体を制御するための制御プログラム等を格納する。ＲＡＭ１６は、ホストコンピュータで作成された印刷データが送られてきた場合、その印刷データを一次格納する。外部インタフェース１７は、図示せぬホストコンピュータに接続され、ホストコンピュータから送られてきた印刷データおよびコマンドを受信する。Ｉ／Ｏ制御部１８は印刷部１９，用紙カセット検知部２０およびオペレータパネル２１を接続しており、これらを制御する。印刷部１９は印刷データを装置にセットされたカット紙に印刷する。用紙カセット検知部２０は、装置にセットされた用紙のサイズを検知するものである。用紙カセット検知部２０の原理を第２図に示す。第２図で詳細に説明すると、用紙はカセット２２に収納され、このカセット２２が装置１１の所定位置にセットされる。カセット２２の側部には突起２３が１つあるいは複数形成されている。つまり、突起の数および位置は用紙サイズによって異なっている。一方、装置側には突起２３に対向する位置にスイッチ２４が配設されている。したがって突起２３の有無により押下されるスイッチ２４の組合せが異なり、これによりセットされた用紙のサイズが検知できるようになっている。なお本実施例における印刷装置１１では１種類の用紙カセットしかセットできないものとする。
　オペレータパネル２１はオペレータ操作用のパネルであり、その例を第３図に示す。第３図において、オペレータパネル２１には、複数の発光ダイオード（ＬＥＤ）点灯部２５ａ〜２５ｄ，表示部２６および複数のキースイッチ２７ａ〜２７ｄが設けられている。ＬＥＤ点灯部２５ａ〜２５ｄはオペレータに対して装置１１の状態を知らせるもので、たとえばホストコンピュータから指定された用紙サイズと装置１１にセットされた用紙のサイズが一致しない場合は、ＬＥＤ点灯部２５ｂを点灯させる。表示部２６は液晶表示装置から成り、ホストコンピュータから指定された用紙サイズ等を表示する。キースイッチ２７ａ〜２７ｄはオペレータが装置１１を操作する場合に押下される。
　以上のような構造を有する本実施例の印刷装置１１は、第７図に示すシステムと同様に、外部インタフェース１７を介して複数のホストコンピュータに接続されている。
　次に動作を主に第４図にしたがって説明する。第４図は実施例の動作を示すフローチャートである。なお本実施例において、ある１つのホストコンピュータから指定される用紙サイズはＡ４版とする。
　印刷装置１１に接続された図示せぬある１つのホストコンピュータから印刷データとともにこの印刷データを印刷すべき用紙のサイズ（この場合Ａ４）を指定するコマンドが送られてくると、第１図に示すＣＰＵ１２はこれを外部インタフェース１７を介して受信する（ステップ１１）。印刷装置１１には既に１種類の用紙がセットされており、セットされた用紙のサイズは前述した用紙カセット検知部２０により検知され、そのサイズデータは第１図に示すＲＡＭ１６に格納されている。ホストコンピュータから用紙サイズ指定のコマンドと印刷データを受信すると、ＣＰＵ１２はＲＡＭ１６に格納してあるサイズデータと前記コマンドで指定された用紙サイズとを比較する（ステップ１２）。それとともに印刷データをＲＡＭ１６に書込む。
　用紙サイズを比較した結果、一致していれば、即ち装置１１にセットされている用紙のサイズがＡ４であるならば、そのままステップ２０へ進み、ＲＡＭ１６から印刷データを読出して印刷部１９にて印刷を開始する。
　ステップ１２において用紙サイズが一致しなかった場合、ＣＰＵ１２はＩ／Ｏ制御部１８を介して第３図に示すオペレータパネル２１のＬＥＤ点灯部２５ｂを点灯させる（ステップ１３）と同時に、表示部２６にホストコンピュータから指定された用紙サイズ（Ａ４）を、たとえば“Ａ４ＲＥＱＵＥＳＴＥＤ”のように表示させる（ステップ１４）、ＬＥＤ点灯部２５ｂが点灯したことによりオペレータは装置内にセットされている用紙が指定通りのサイズではないことを知り得る。また表示部２６に、指定された用紙サイズが表示されることにより、オペレータは交換すべき用紙のサイズを知り得る。この後ＣＰＵ１２は、所定時間の経過を計測すべくタイマ１４をオンする（ステップ１５）。この所定時間は、オペレータが用紙サイズの不一致に気付き、用紙カセットを交換するのに充分な時間をいい、たとえば３０秒間〜１分間程度である。なおこの所定時間は任意に変更可能である。ＣＰＵ１２はタイマ１４をオンした後、用紙カセット検知部２０に対して前記所定時間内で継続的な監視を行う。
　所定時間内の監視中に、オペレータがＡ４サイズの用紙に交換すると用紙カセット検知部２０を介してＣＰＵ１２はＡ４サイズの用紙がセットされたことを認識し（ステップ１６）、タイマ１４をオフする（ステップ１７）。これにより監視を中止する。またそれとともに第３図に示すオペレータパネル２１のＬＥＤ点灯部２５ｂを消灯し、表示部２６の表示を消去する（ステップ１９）。この後印刷データを印刷部１９へ送って、セットされたＡ４サイズの用紙に印刷を行う。
　ステップ１６において所定時間内にＡ４サイズの用紙に交換されずに、所定時間が経過すると（ステップ１８）、ＣＰＵ１２は、ステップ１９においてＬＥＤ点灯部２５ｂを消灯するとともに表示部２６を消去し、その後、予めセットしてあったＡ４サイズ以外の用紙に印刷を開始する（ステップ２０）。
　この場合、予め装置１１にセットしてあった用紙のサイズがＢ４等Ａ４より大きいときは、たとえば印刷領域の原点が用紙左上隅の場合第５図（ａ）に示すように、Ａ４サイズ用紙２９の印刷領域Ａに印刷されるべき印刷データはＢ４サイズ用紙３０の片寄った印刷領域Ｂに印刷される。またその逆に、Ｂ５サイズ等Ａ４より小さいサイズの用紙３１がセットされていたときは、印刷領域の原点が用紙左上隅の場合第５図（ｂ）に示すように、斜線で示す印刷領域Ａ１に印刷すべき印刷データが印刷されないことになる。なお第５図（ａ），（ｂ）は用紙サイズが一致せず、かつ用紙交換が行われなかった場合の印刷状態を示す説明図である。
　以上説明したように、ホストコンピュータから指定された用紙サイズと装置内にセットされている用紙のサイズが一致しない場合でも、所定時間経過すれば印刷を強制的に開始するので、システムとしての印刷機能は確保される。
　本発明は上記実施例に限定されるものではなく、種々の変形例が可能である。たとえば、上記実施例のように個別にタイマ１４を設けるのではなく、ＲＡＭ１６に所定時間セットして計測するようにしてもよい。またホストコンピュータから指定された用紙サイズと装置内に予めセットされていた用紙のサイズが一致しない場合、オペレータパネル２１の表示部２６に、指定された用紙サイズだけでなく、たとえば「○○秒後強制印刷します」等の表示をするようにしてもよい。このような表示をすることによりオペレータに対して迅速な処理を促すことができる。
（発明の効果）
　以上詳細に説明したように本発明によれば、複数のホストコンピュータに接続された印刷装置において、ホストコンピュータから指定された用紙サイズと装置内にセットされている用紙のサイズが一致しない場合、たとえば指定されたサイズの用紙に交換が行われなくても、所定時間後、装置内にセットされている用紙に強制的に印刷を開始するので、システムとしての印刷機能は確保される効果がある。
【図面の簡単な説明】
　第１図は本発明に係る実施例の印刷装置を示すブロック図，第２図は実施例の用紙カセット検知部を示す説明図，第３図は実施例のオペレータパネルを示す説明図，第４図は実施例の動作を示すフローチャート，第５図（ａ），（ｂ）は印刷状態を示す説明図，第６図は従来の印刷装置の動作を示すフローチャート，第７図は印刷出力システムを示す説明図である。
　１１……印刷装置，１２……ＣＰＵ，１４……タイマ，２０……用紙カセット検知部，２１……オペレータパネル。